(57)【要約】【課題】システム構成の変更時やメンテナンス時の実機サーバを切り離し、保守用サーバとして動作させるようにする情報通信システムを得る。【解決手段】クライアント端末２からの要求により、管理サーバ１は、ユーザの業務遂行のためのデータを処理する実機サーバ３に対し、メンテナンス用の保守用サーバ３として動作するように切り替え指示を行い、実機サーバ３は、これに応じて、実行モジュールの変更とＩＰアドレスの変更を行って、保守用サーバ３として動作するよう自身で運用モードの切り替えを行うようにし、障害発生時やシステム構成の変更に対応できるようにした。【選択図】図１
2013228898.tif 000002
【特許請求の範囲】
【請求項１】
第一のＩＰアドレス及び第一のモジュールに基づき動作する第一の運用モードと、第二のＩＰアドレス及び第二のモジュールに基づき動作する第二の運用モードとのいずれかの運用モードにより動作する運用サーバ、
及び上記運用モードの切り替えを上記運用サーバに指示する管理サーバを備え、
上記運用サーバは、上記管理サーバからの上記運用モードの切り替え指示に応じて、上記ＩＰアドレス及び上記モジュールを切り替えて上記指示された運用モードに切り替えることを特徴とする情報通信システム。
【請求項２】
上記管理サーバは、上記運用サーバの動作中の運用モードの情報及び実行中のモジュールの情報をデータベースに格納していることを特徴とする請求項１記載の情報通信システム。
【請求項３】
上記管理サーバは、上記データベースを参照して、上記運用サーバに対し、他の運用サーバとの連携または連携抑止を指示することを特徴とする請求項２記載の情報通信システム。
【発明の詳細な説明】
【技術分野】
【０００１】
この発明は、情報通信システムを構成する実機サーバと保守用サーバの運用切替を自動的に行う管理サーバを有する情報通信システムに関するものである。
ここで、実機サーバとは、ユーザの業務遂行にあたり、ユーザが扱うデータを格納するとともに、データを加工してユーザに提供するためのサーバである。
また、保守用サーバとは、障害発生時の解析及びシステムのソフトウェアの更新において動作確認を行うためのメンテナンス用のサーバである。
【背景技術】
【０００２】
情報通信システムは、企業の業務、経営活動を遂行する上で基盤となっているが、業務遂行に直接関わるものではないため、情報システムの構築・メンテナンスには低コスト化が要求される。
一方で、システムを利用する側からは、効率的に業務を遂行でき、作業誤りによる事故を発生させない設計とする必要がある。
【先行技術文献】
【特許文献】
【０００３】
【特許文献１】特開平１１−３５３２０２号公報（第３〜４頁、図１）
【特許文献２】特開２００３−２４８５９６号公報（第４〜５頁、図１）
【発明の概要】
【発明が解決しようとする課題】
【０００４】
このため、従来からいろいろな提案がなされてきた。
特許文献１では、管理サーバを冗長化して、実機サーバの故障時または実機サーバのメンテナンス時に、代替となるサーバへ実機サーバを切替えるものが記載されているが、切り離した実機サーバの運用については記載されていなかった。
また、特許文献２のものでは、障害発生及びファイル改ざん時に実機サーバを運用から切り離すようになっているが、切り離すことに限定していて、切り離された実機サーバの利用についての記載はなかった。
【０００５】
この発明は、上述のような課題を解決するためになされたものであり、システム構成の変更時やメンテナンス時の実機サーバを切り離し、保守用サーバとして動作させるようにする情報通信システムを得ることを目的とする。
【課題を解決するための手段】
【０００６】
この発明に係わる情報通信システムにおいては、第一のＩＰアドレス及び第一のモジュールに基づき動作する第一の運用モードと、第二のＩＰアドレス及び第二のモジュールに基づき動作する第二の運用モードとのいずれかの運用モードにより動作する運用サーバ、及び運用モードの切り替えを運用サーバに指示する管理サーバを備え、運用サーバは、管理サーバからの運用モードの切り替え指示に応じて、ＩＰアドレス及びモジュールを切り替えて指示された運用モードに切り替えるものである。
【発明の効果】
【０００７】
この発明によれば、第一のＩＰアドレス及び第一のモジュールに基づき動作する第一の運用モードと、第二のＩＰアドレス及び第二のモジュールに基づき動作する第二の運用モードとのいずれかの運用モードにより動作する運用サーバ、及び運用モードの切り替えを運用サーバに指示する管理サーバを備え、運用サーバは、管理サーバからの運用モードの切り替え指示に応じて、ＩＰアドレス及びモジュールを切り替えて指示された運用モードに切り替えるので、必要に応じて、運用モードの切り替えを自動で行うことができる。
【図面の簡単な説明】
【０００８】
【図１】この発明の実施の形態１による情報通信システムを示す構成図である。
【図２】この発明の実施の形態１による情報通信システムのサーバの運用モード切り替え後を示す構成図である。
【発明を実施するための形態】
【０００９】
実施の形態１．
以下、この発明の実施の形態１を図に基づいて説明する。
図１は、この発明の実施の形態１による情報通信システムを示す構成図である。
図１において、情報通信システム（以下、システム）は、次のように構成されている。
管理サーバ１は、システム全体を管理する。クライアント端末２は、保守員がシステムを運用するためのものである。実機サーバ（運用モードが切り替えられて保守用サーバとなる）３は、サーバ切替対象となる実機サーバであり、実機サーバ４、実機サーバ５と通信を行う。また、保守用サーバ６、保守用サーバ７は、それぞれ実機サーバ３が切り替えられた保守用サーバ３と通信を行う。
なお、実機サーバ３と保守用サーバ３は、同一の運用サーバであり、運用モードにより役割を切り替えるようになっている。
【００１０】
管理サーバ１は、システム全体を構成するサーバの数とサーバの役割（実機サーバ／保守用サーバ）及び各サーバが有する機能をデータベース１１で管理している。
また、管理サーバ１は、各実機サーバ及び各保守用サーバと通信を行えるように、実機サーバ、保守用サーバそれぞれのネットワークのＩＰアドレスを保持する。
【００１１】
各実機サーバ（第一の運用モードの運用サーバ）及び保守用サーバ（第二の運用モードの運用サーバ）は、実機サーバとして動作するためのＩＰアドレス（第一のＩＰアドレス）及びモジュール（第一のモジュール）と、ＩＰアドレス設定ファイル及びその他の設定を保持するとともに、保守用サーバとして動作するためのＩＰアドレス（第二のＩＰアドレス）及びモジュール（第二のモジュール）と、ＩＰアドレス設定ファイル及びその他の設定を保持している。
データベース１１には、各サーバ３〜７（Ａ、Ｂ、Ｃ、Ｄ、Ｅ）について、実機サーバとして動作中か保守用サーバとして動作中かを示す情報と、実行中の機能（モジュール）の情報を格納している。
【００１２】
実機サーバ３〜５は、実機用ＩＰアドレス体系で、互いに通信し、連携して動作するようになっている。
また、保守用サーバ６、７は、保守用ＩＰアドレス体系で、互いに通信し、連携して動作するようになっている。
【００１３】
図２は、この発明の実施の形態１による情報通信システムのサーバの運用モード切り替え後を示す構成図である。
図２において、１、２、４〜７、１１は図１におけるものと同一のものである。図２では、実機サーバ３が切り替えられて保守用サーバ３になっている。
【００１４】
次に、動作について説明する。
まず、図１に基づき、実機サーバから保守用サーバへの切り替えについて説明する。
保守員は、クライアント端末２にてボタン押下等の操作により、実機サーバ３の運用モード変更を要求する。管理サーバ１は、クライアント端末２からの運用モード変更要求を受け付けると、指示された実機サーバ３に対して、保守用サーバとして動作するための運用モード変更を指示する。
実機サーバ３は、運用モード変更の指示を受けると、ＩＰアドレスやモジュール、設定を保守用サーバとして動作するものに切り替える。
図１、図２の例では、実機サーバ３（第一の運用モードの運用サーバ）のＩＰアドレス（第一のＩＰアドレス）は、ＹＹＹ．ＹＹＹ．ＹＹＹ．００２で、実行中モジュール（第一のモジュール）は機能Ａ、Ｂであったが、保守用サーバ３（第二の運用モードの運用サーバ）のＩＰアドレス（第二のＩＰアドレス）は、ＸＸＸ．ＸＸＸ．ＸＸＸ．００２で、実行中モジュール（第二のモジュール）は機能Ａ、Ｅになっている。
【００１５】
実機サーバ３が、保守用サーバ３への運用モードの変更が完了すると、保守用サーバ３は、管理サーバ１に対して、保守用サーバへの運用モード変更を通知する。
管理サーバ１は、実機サーバ３が保守用サーバ３に切り替わったことを検知すると、管理サーバ１が保持するデータベース１１を更新する。
【００１６】
管理サーバ１は、実機サーバ３が保守用サーバ３に切り替わると、データベース１１に保有している各サーバの役割及び各サーバの有する機能を参照し、実機サーバ４、実機サーバ５に対して、実機サーバ３と連携する機能を抑止する。
同様に、管理サーバ１は、保守用サーバ６、保守用サーバ７に対して、保守用サーバ３と連携する機能を許可する。
【００１７】
次に、図２に基づき、保守用サーバから実機サーバへの切り替えについて説明する。
クライアント端末２にて、保守用サーバ３の実機サーバへの運用モード変更を要求された場合は、管理サーバ１は、保守用サーバ３に対して、実機サーバとして動作するための運用モード変更を指示する。
保守用サーバ３は、管理サーバ１から運用モード変更指示を受けると、ＩＰアドレスやモジュール、設定を実機サーバとして動作するものへの切り戻しを行う。
保守用サーバ３が、実機サーバ３への運用モードの変更が完了すると、実機サーバ３は、管理サーバ１に対して、実機サーバへの運用モード変更を通知する。
管理サーバ１は、保守用サーバ３が実機サーバ３に切り替わったことを検知すると、管理サーバ１が保持するデータベース１１を更新する。
【００１８】
保守用サーバ３の実機サーバ３への切り戻しが行われると、管理サーバ１は、データベース１１に保有している各サーバの役割及び各サーバの有する機能を参照し、保守用サーバ６、保守用サーバ７に対して、保守用サーバ３と連携する機能を抑止する。
同時に、実機サーバ４、実機サーバ５に対しては、実機サーバ３と連携する機能を許可する。
以上により、実機サーバから保守用サーバへ、また、保守用サーバから実機サーバへの切り替えが自動で行われるようになる。
【００１９】
実施の形態１によれば、システム構成の変更が発生した場合や実機サーバのメンテナンス時に、実機サーバから保守用サーバへの運用モードの切り替えを自動で行うことにより、システム全体への影響を極小化することができる。
また、実機サーバと保守用サーバの運用モードの相互切替を自動的に行うので、保守員のサーバ切替作業を軽減することができる。
【００２０】
なお、本発明は、その発明の範囲内において、実施の形態を適宜、変形、省略することが可能である。
【符号の説明】
【００２１】
１  管理サーバ
２  クライアント端末
３  実機サーバ、保守用サーバ
４  実機サーバ
５  実機サーバ
６  保守用サーバ
７  保守用サーバ
１１  データベース
【図１】
2013228898.tif 000003
【図２】
2013228898.tif 000004